(57)【要約】  操作ハンドルを付勢するバネ部材の脱落防止機能を向上させたスライドレール機構及び車両用シートを提供する。  車両用シートＳのスライドレール機構４は、ロアレール１０に対するアッパレール２０の相対移動を規制するロック部材３０と、アッパレール２０の相対移動をロック状態に付勢するバネ部材３７と、バネ部材３７の付勢力に抗してロック部材３０をロック解除状態に位置させる操作ハンドル５０を備えている。ロック部材３０の保持部４０には、バネ部材３７の一部分を係止する係止溝４６が設けられ、さらに係止溝４６の開口を狭めるように規制部４７が突出形成されている。
2014064848.tif 000002
【特許請求の範囲】
【請求項１】
車体フロアに固定されるロアレールと、
該ロアレールに対して相対移動可能に支持されるアッパレールと、
前記ロアレールに設けられた係合部に係合可能な被係合部を有し、該被係合部が前記係合部に係合する係合位置と、前記被係合部が前記係合部から離脱した離脱位置との間を移動可能な状態で前記アッパレールに取り付けられたロック部材と、
該ロック部材が前記係合位置に位置するように前記ロック部材を付勢するバネ部材と、
乗員の操作により、前記バネ部材の付勢力に抗して前記ロック部材を前記離脱位置に位置させる操作ハンドルと、を備え、
前記操作ハンドルの外表面には、前記バネ部材の一部分が掛け止めされる掛け止め溝が形成され、
前記ロック部材は、
前記操作ハンドルのうち、前記掛け止め溝が形成された部分を保持する保持部と、
該保持部に形成され、前記バネ部材のうち、前記掛け止め溝に掛け止めされた前記一部分と隣接した部分を係止する係止溝と、
前記保持部から突出形成され、前記係止溝の開口を狭めることにより前記バネ部材の前記係止溝からの脱落を規制する規制部と、を備えることを特徴とするスライドレール機構。
【請求項２】
前記保持部は、対向する上板部と底板部と、該底板部及び前記上板部を連結する側板部と、を備え、
前記操作ハンドルのうち、前記掛け止め溝が形成された部分は、前記上板部と前記底板部と前記側板部とで囲まれた保持領域内に保持されていることを特徴とする請求項１に記載のスライドレール機構。
【請求項３】
前記保持部は、前記操作ハンドルを挿入する側の端部から突出形成され、前記操作ハンドルのうち、前記掛け止め溝が形成された部分を前記保持領域内に案内する案内部を備えることを特徴とする請求項２に記載のスライドレール機構。
【請求項４】
前記側板部の上面には、前記上板部と連結された部分と異なる部分において、下方に窪んだ前記係止溝と、該係止溝を介して前記上板部と反対側に前記規制部が設けられ、
該規制部は、前記上板部に向って前記係止溝の開口を狭めるように突出していることを特徴とする請求項２乃至３いずれか記載のスライドレール機構。
【請求項５】
前記規制部の少なくとも一部分は、前記上板部の下端よりも上方に突出していることを特徴とする請求項２乃至４いずれか記載のスライドレール機構。
【請求項６】
前記操作ハンドルの外表面のうち、前記アッパレールに近い側の端部上面には、前記掛け止め溝と、該掛け止め溝よりも前記アッパレールに近い側に傾斜面とが形成され、
該傾斜面は、前記掛け止め溝から前記アッパレールに近い側の一端に向う方向において、下方に傾斜していることを特徴とする請求項１乃至５いずれか記載のスライドレール機構。
【請求項７】
前記操作ハンドルは、前記ロック部材と一体的に回動可能な状態で前記保持部に保持され、
前記ロック部材は、前記保持部と前記被係合部との間に設けられた回動軸を備え、
該回動軸は、前記操作ハンドルの回動と連動して、前記ロック部材が前記アッパレールに対して回動可能な状態で該アッパレールに軸支されていることを特徴とする請求項１乃至６いずれか記載のスライドレール機構。
【請求項８】
前記ロック部材は、該ロック部材のうち、前記保持部を備える部分が、前記アッパレールの前記操作ハンドル側の端部から突出するようにして前記アッパレール内に挿設されていることを特徴とする請求項１乃至７いずれか記載のスライドレール機構。
【請求項９】
請求項１乃至８いずれか記載のスライドレール機構を備えることを特徴とする車両用シート。
【発明の詳細な説明】
【技術分野】
【０００１】
本発明は、スライドレール機構及び車両用シートに係り、特に、ロアレールに対するアッパレールの相対移動を規制するロック部材を有するスライドレール機構及びスライドレール機構を備えた車両用シートに関する。
【背景技術】
【０００２】
従来、車体フロアに対してシート本体を前後方向にスライド移動可能なスライドレール機構を備えた車両用シートが知られている。
スライドレール機構は、車体フロアに固定されるロアレールと、シート本体に固定され、ロアレールに相対移動可能に支持されるアッパレールと、ロアレール及びアッパレールの相対移動を規制するロック部材とを主に備えている。ロック部材を有するスライドレール機構として、乗員がハンドルを操作することで、ロアレールに対するアッパレールの相対移動をロック状態又はロック解除状態にする技術が知られている（例えば、特許文献１）。【０００３】
特許文献１に記載のシートスライド装置は、図６に示すように、ロアレール１１０と、アッパレール１２０と、ロックレバー１３０と、ハンドル１５０とを主に備えており、ハンドル１５０の操作に伴い、ロアレール１１０のロック孔１１６に対して、アッパレール１２０の開放孔１２５を介して、ロックレバー１３０のロック爪１３６を係脱可能に連結させる構成となっており、ロアレール１１０に対するアッパレール１２０の相対移動を規制することができる。
ハンドル１５０は、ロックレバー１３０の連動支持部１４０内に挿設されており、ロックレバー１３０に対して相対回動可能に支持されている。ロックレバー１３０は、アッパレール１２０内に挿設されており、ハンドル１５０の回動と連動して、アッパレール１２０に対して回動可能に支持されている。【０００４】
また、ロックレバー１３０は、ハンドル１５０を付勢するコイルバネ１３７を備えており、コイルバネ１３７の一部分が、ハンドル１５０の外表面に形成された掛け止め溝１５１に掛け止めされ、コイルバネ１３７の一部分と隣接した部分が、連動支持部１４０に形成された係止溝１４６に係止されている。コイルバネ１３７は、ロック孔１１６にロック爪１３６を係合させる位置にハンドル１５０を付勢している。
このように、ハンドル１５０は、コイルバネ１３７によってアッパレール１２０のロック状態側に付勢されて構成されているため、ロック機構の解除防止機能を高めることができる。
【先行技術文献】
【特許文献】
【０００５】
【特許文献１】特開２０１２−１１１３７８号公報
【発明の概要】
【発明が解決しようとする課題】
【０００６】
しかし、特許文献１のようなシートスライド装置は、コイルバネ１３７の一部分をハンドル１５０の掛け止め溝１５１に掛け止めし、コイルバネ１３７の一部分と隣接した部分をロックレバー１３０の係止溝１４６に係止させて構成されているものの、このコイルバネ１３７の保持位置のずれを防止する形状、配置については特に配慮されていなかった。そのため、乗員による急激なハンドル操作や車両衝突時等の衝撃荷重によって、コイルバネ１３７が掛け止め溝１５１及び係止溝１４６の正規保持位置からずれてしまい、ロック機構のバネの付勢力が低下する恐れがあった。
そこで、ハンドル及びロック部材に対するコイルバネの位置ずれ防止及び脱落防止機能を向上させたスライドレール機構が望まれていた。
また、特許文献１のようなシートスライド装置は、ロック機構を構成するハンドル１５０とロックレバー１３０を組み立てる際に、ハンドル１５０をロックレバー１３０に挿設させると同時に、ハンドル１５０に備えられた掛け止め溝１５１に、ロックレバー１３０に備えられたコイルバネ１３７の一部分を掛け止めする組立作業が必要となるため、組立作業性を一層向上させたスライドレール機構が望まれていた。【０００７】
本発明は、上記の課題に鑑みてなされたものであり、本発明の目的は、ロアレールに対するアッパレールの相対移動を規制するロック機構と、ロック機構を解除するための操作ハンドルを備える構成において、操作ハンドルを付勢するバネ部材の位置ずれ防止及び脱落防止機能を向上させたスライドレール機構及び車両用シートを提供することにある。
本発明の他の目的は、組立作業性を向上させたスライドレール機構及び車両用シートを提供することにある。
【課題を解決するための手段】
【０００８】
前記課題は、本発明のスライドレール機構によれば、車体フロアに固定されるロアレールと、該ロアレールに対して相対移動可能に支持されるアッパレールと、前記ロアレールに設けられた係合部に係合可能な被係合部を有し、該被係合部が前記係合部に係合する係合位置と、前記被係合部が前記係合部から離脱した離脱位置との間を移動可能な状態で前記アッパレールに取り付けられたロック部材と、該ロック部材が前記係合位置に位置するように前記ロック部材を付勢するバネ部材と、乗員の操作により、前記バネ部材の付勢力に抗して前記ロック部材を前記離脱位置に位置させる操作ハンドルと、を備え、前記操作ハンドルの外表面には、前記バネ部材の一部分が掛け止めされる掛け止め溝が形成され、前記ロック部材は、前記操作ハンドルのうち、前記掛け止め溝が形成された部分を保持する保持部と、該保持部に形成され、前記バネ部材のうち、前記掛け止め溝に掛け止めされた前記一部分と隣接した部分を係止する係止溝と、前記保持部から突出形成され、前記係止溝の開口を狭めることにより前記バネ部材の前記係止溝からの脱落を規制する規制部と、を備えること、により解決される。【０００９】
このように、ロック部材は、保持部から突出形成され、係止溝の開口を狭めることによりバネ部材の係止溝からの脱落を規制する規制部を備えるため、バネ部材の脱落を防止でき、ロック部材の機能性を向上させることができる。従って、ロアレールに対するアッパレールの相対移動を規制するロック部材を備え、このロック部材に設けられ、操作ハンドルを付勢するバネ部材の位置ずれ防止及び脱落防止機能を向上させたスライドレール機構を提供することができる。【００１０】
このとき、前記保持部は、対向する上板部と底板部と、該底板部及び前記上板部を連結する側板部と、を備え、前記操作ハンドルのうち、前記掛け止め溝が形成された部分は、前記上板部と前記底板部と前記側板部とで囲まれた保持領域内に保持されていると良い。
このように、操作ハンドルのうち、掛け止め溝が形成された部分は、上板部と底板部と側板部とで囲まれた保持領域内に保持されているため、操作ハンドルをロック部材の保持部に安定して保持させることができ、ロック機構の機能性を向上できる。【００１１】
このとき、前記保持部は、前記操作ハンドルを挿入する側の端部から突出形成され、前記操作ハンドルのうち、前記掛け止め溝が形成された部分を前記保持領域内に案内する案内部を備えると良い。
このように、保持部は、操作ハンドルのうち、掛け止め溝が形成された部分を保持領域内に案内する案内部を備えるため、ロック機構を構成する操作ハンドルとロック部材を組み立てる際に、操作ハンドルが案内部に案内されてロック部材の保持部に挿設でき、組立作業が容易になる。【００１２】
このとき、前記側板部の上面には、前記上板部と連結された部分と異なる部分において、下方に窪んだ前記係止溝と、該係止溝を介して前記上板部と反対側に前記規制部が設けられ、該規制部は、前記上板部に向って前記係止溝の開口を狭めるように突出していると良い。
このように、側板部に設けられた係止溝の開口は、開口の一端側に設けられた規制部が、開口の他端に設けられた上板部に向って突出することにより開口を狭める構成となっているため、係止溝に係止されたバネ部材の脱落防止機能を一層向上させることができる。【００１３】
このとき、前記規制部の少なくとも一部分は、前記上板部の下端よりも上方に突出していると良い。
このように、係止溝の開口の一端側に設けられた規制部の少なくとも一部分が、開口の他端に設けられた上板部の下端よりも上方に突出しているため、係止溝の開口を一層狭める構成となり、係止溝に係止されたバネ部材の脱落を一層防止することができる。【００１４】
このとき、前記操作ハンドルの外表面のうち、前記アッパレールに近い側の端部上面には、前記掛け止め溝と、該掛け止め溝よりも前記アッパレールに近い側に傾斜面とが形成され、該傾斜面は、前記掛け止め溝から前記アッパレールに近い側の一端に向う方向において、下方に傾斜していると良い。
このように、操作ハンドルの外表面の端部上面には、掛け止め溝と、この掛け止め溝からアッパレールに近い側の一端に向う方向に下方傾斜している傾斜面とが設けられているため、操作ハンドルの掛け止め溝にバネ部材の一部分を掛け止めする際に、バネ部材の一部分が傾斜面によって案内されることとなり、組立作業が容易になる。【００１５】
このとき、前記操作ハンドルは、前記ロック部材と一体的に回動可能な状態で前記保持部に保持され、前記ロック部材は、前記保持部と前記被係合部との間に設けられた回動軸を備え、該回動軸は、前記操作ハンドルの回動と連動して、前記ロック部材が前記アッパレールに対して回動可能な状態で該アッパレールに軸支されていると良い。
このように、ロック部材は、操作ハンドルの回動と連動して、アッパレールに対して回動可能な状態で軸支されているため、操作ハンドルの操作によってロック部材を回動させて、ロアレールに対するアッパレールの相対移動を規制するコンパクトな構成となる。【００１６】
このとき、前記ロック部材は、該ロック部材のうち、前記保持部を備える部分が、前記アッパレールの前記操作ハンドル側の端部から突出するようにして前記アッパレール内に挿設されていると良い。
このように、操作ハンドルは、アッパレール内に挿設されたロック部材のうち、アッパレールから突出した保持部に保持されているため、操作ハンドルがロック部材に対して回動する際に、操作ハンドルとアッパレールとが当接しない構成となる。
従って、操作ハンドルとロック部材の相対回動範囲を広げることができ、ロック状態維持機能を高めることができる。【００１７】
このとき、上記のスライドレール機構を備える車両用シートとして構成しても良い。
このように構成することにより、ロアレールに対するアッパレールの相対移動を規制するロック機構を有し、このロック機構に設けられ、操作ハンドルを付勢するバネ部材の脱落防止機能を向上させたスライドレール機構を備えた車両用シートを得ることができる。
【発明の効果】
【００１８】
請求項１の発明によれば、ロック部材は、保持部から突出形成され、係止溝の開口を狭めることによりバネ部材の係止溝からの脱落を規制する規制部を備えるため、バネ部材の脱落を防止でき、ロック部材の機能性を向上させることができる。従って、ロアレールに対するアッパレールの相対移動を規制するロック部材を備え、このロック部材に設けられ、操作ハンドルを付勢するバネ部材の位置ずれ防止及び脱落防止機能を向上させたスライドレール機構を提供することができる。
請求項２の発明によれば、操作ハンドルのうち、掛け止め溝が形成された部分は、上板部と底板部と側板部とで囲まれた保持領域内に保持されているため、操作ハンドルをロック部材の保持部に安定して保持させることができ、ロック機構の機能性を向上できる。【００１９】
請求項３の発明によれば、保持部は、操作ハンドルのうち、掛け止め溝が形成された部分を保持領域内に案内する案内部を備えるため、ロック機構を構成する操作ハンドルとロック部材を組み立てる際に、操作ハンドルが案内部に案内されてロック部材の保持部に挿設でき、組立作業が容易になる。
請求項４の発明によれば、側板部に設けられた係止溝の開口は、開口の一端側に設けられた規制部が、開口の他端に設けられた上板部に向って突出することにより開口を狭める構成となっているため、係止溝に係止されたバネ部材の脱落防止機能を一層向上させることができる。【００２０】
請求項５の発明によれば、係止溝の開口の一端側に設けられた規制部の少なくとも一部分が、開口の他端に設けられた上板部の下端よりも上方に突出しているため、係止溝の開口を一層狭める構成となり、係止溝に係止されたバネ部材の脱落を一層防止することができる。
請求項６の発明によれば、操作ハンドルの外表面の端部上面には、掛け止め溝と、この掛け止め溝からアッパレールに近い側の一端に向う方向に下方傾斜している傾斜面とが設けられているため、操作ハンドルの掛け止め溝にバネ部材の一部分を掛け止めする際に、バネ部材の一部分が傾斜面によって案内されることとなり、組立作業が容易になる。【００２１】
請求項７の発明によれば、ロック部材は、操作ハンドルの回動と連動して、アッパレールに対して回動可能な状態で軸支されているため、操作ハンドルの操作によってロック部材を回動させて、ロアレールに対するアッパレールの相対移動を規制するコンパクトな構成となる。
請求項８の発明によれば、操作ハンドルは、アッパレール内に挿設されたロック部材のうち、アッパレールから突出した保持部に保持されているため、操作ハンドルがロック部材に対して回動する際に、操作ハンドルとアッパレールとが当接しない構成となる。
従って、操作ハンドルとロック部材の相対回動範囲を広げることができ、ロック状態維持機能を高めることができる。
請求項９の発明によれば、上記の効果を奏するスライドレール機構を備えた車両用シートを得ることができる。
【図面の簡単な説明】
【００２２】
【図１】本発明に係る車両用シートの概略斜視図である。
【図２】本発明に係るスライドレール機構の概略斜視図である。
【図３】図２のスライドレール機構を分解して示した概略斜視図である。
【図４】（ａ）は、図２のスライドレール機構を側面側から見た部分断面図であり、（ｂ）は、平面側から見た部分断面図である。
【図５】図２のスライドレール機構のうち、保持部に操作ハンドルが挿設された状態を示す部分側面図である。
【図６】従来例のシートスライド装置を備えた車両用シートの説明図である。
【発明を実施するための形態】
【００２３】
以下、本発明の実施形態について図を参照して説明する。なお、以下に説明する部材、配置等は、本発明を限定するものではなく、本発明の趣旨に沿って各種改変することができる。
【００２４】
本実施形態は、ロアレールに対するアッパレールの相対移動を規制するロック部材と、アッパレールの相対移動をロック状態に付勢するバネ部材とを有し、ロック部材に取り付けられ、バネ部材の一部分を係止する係止溝に対して、この係止溝の開口を狭める規制部を設けたことを特徴とするスライドレール機構を備えた車両用シートの発明に関するものである。
本実施形態の車両用シートＳは、図１に示すように、シートクッション１と、シートバック２と、ヘッドレスト３とを備えるシート本体と、シート本体を前後方向に移動可能な状態で車体フロアに取り付けるためのスライドレール機構４とから構成されている。
なお、車両用シートＳのシートバック２に対して乗員が着座する側が前方側となる。
【００２５】
シートクッション１は、乗員を下方から支持する着座部であって、骨格となる不図示のクッションフレームに、クッションパッド１ａを載置して、クッションパッド１ａの上から表皮１ｂによって被覆されて構成されている。
シートバック２は、乗員の背中を後方から支持する背もたれ部であって、骨格となる不図示のシートバックフレームに、クッションパッド２ａを載置して、表皮２ｂで被覆されて構成されている。
ヘッドレスト３は、乗員の頭を後方から支持する頭部であって、芯材となる不図示のピラーにクッションパッド３ａを配設させて表皮３ｂで被覆して形成される。
【００２６】
スライドレール機構４は、上下方向においてシート本体と車体フロアとの間に配設されており、図２に示すように、車体フロアに固定されるロアレール１０と、ロアレール１０に対して相対移動可能に支持され、シートクッション１に固定されるアッパレール２０と、アッパレール２０の内部に挿設され、アッパレール２０の相対移動を規制するロック部材３０と、ロック部材３０に係止され、アッパレール２０を相対移動不能なロック状態に維持するバネ部材３７と、ロック部材３０の一端に支持された操作ハンドル５０と、から主に構成されている。
【００２７】
ロアレール１０は、金属材料から形成された長尺な中空体からなり、左右方向に所定の間隔をおいて一対に配置され、前端部及び後端部が開口となるように構成されている。
なお、ロアレール１０の材質は、金属材料に限定されることなく、樹脂材料等、他の材料を用いても良い。
【００２８】
ロアレール１０は、図３に示すように、車体フロアに固定される底板部１１と、底板部１１の左右両端部から上方に屈曲された外側板部１２と、左右の外側板部１２の上端部から左右内側に屈曲された上板部１３と、左右の上板部１３から下方に屈曲された内側板部１４とを備えている。
ロアレール１０には、底板部１１と、左右の外側板部１２と、左右の上板部１３と、左右の内側板部１４とで囲まれた収容室１５が設けられており、収容室１５は、左右の内側板部１４の間に形成された開口を備えている。
左右の内側板部１４の下方端部には、略中央部分から前方部分にわたって上方に切り欠かれた略コ字状からなるロック溝１６が複数設けられている。
なお、ロック溝１６が、特許請求の範囲に記載の係合部に相当する。
【００２９】
アッパレール２０は、ロアレール１０の収容室１５内に挿入された状態でロアレール１０に沿ってスライド移動する長尺体からなり、金属材料等から形成されている。
アッパレール２０は、図３に示すように、シートクッション１に連結される上板部２１と、上板部２１の左右両端部から下方へ屈曲された内側板部２２と、左右の内側板部２２の下端部から左右外側に屈曲し、上方に突出された案内板部２３とを備えている。
アッパレール２０には、上板部２１と左右の内側板部２２とで囲まれた収容室２４と、内側板部２２と案内板部２３との間に形成された収容溝２５とが設けられており、収容室２４は下方に開放されており、収容溝２５は上方に開放されて構成されている。
【００３０】
上板部２１の前方部分には、下方に切り起こされたストッパ部２６が形成されており、ストッパ部２６は、収容室２４内に入り込むように構成されている。
左右の内側板部２２及び案内板部２３の下方端部には、前後方向の略中央部分に上方に切り欠かれた略コ字状からなるロック孔２７が複数設けられている。
左右の内側板部２２の上下方向の中央であって、前後方向においてストッパ部２６とロック孔２７の間には、左右方向に貫通した貫通穴２８が設けられている。
【００３１】
アッパレール２０は、図３に示すように、ロアレール１０の収容室１５内に挿入され、上板部２１及び内側板部２２が、収容室１５の開口から上方に突出し、案内板部２３が、収容室１５のうち、外側板部１２と内側板部１４の間に嵌め込まれるように構成されている。また、ロアレール１０の内側板部１４は、アッパレール２０の収容溝２５内に嵌め込まれるように構成されている。
ロアレール１０の左右の外側板部１２と、アッパレール２０の左右の案内板部２３との間にはガイド２９が嵌め込まれ、ガイド２９は、ロアレール１０に対してアッパレール２０を前後方向にスライド移動可能にロアレール１０及びアッパレール２０を支持している。
【００３２】
ロック部材３０は、図３に示すように、金属材料等から形成された長尺体であって、ロアレール１０に対してアッパレール２０を相対移動不能なロック状態から、相対移動可能なロック解除状態に切り替えるために動作する部材からなり、アッパレール２０の収容室２４内に挿設されている。
ロック部材３０は、ロック部材３０の左右側方に配設され、アッパレール２０の左右の内側板部２２に隣接して前後方向に延出した右側板部３１及び左側板部３２と、右側板部３１及び左側板部３２の後方端部の上面に架設された略平板状の上板部３３と、略中央部分に設けられ、右側板部３１及び左側板部３２から左右外側に突出した凸状の回動軸３４と、回動軸３４に隣接した前方部分に設けられ、左側板部３２を左右内側に湾曲させて形成した略平板状のストッパ板部３５と、右側板部３１及び左側板部３２の後方端部であって、右側板部３１及び左側板部３２から左右外側に突出した複数のロック爪３６と、右側板部３１の前方端部であって、左側板部３２よりも前方側に延出させた部分に設けられた縦断面略コ字状の保持部４０と、から主に構成されている。
【００３３】
回動軸３４は、略円形状の凸部からなり、アッパレール２０の貫通穴２８に挿嵌して軸支されることにより、ロック部材３０がアッパレール２０に対して回動可能となる。
詳しく言うと、図４（ａ）、（ｂ）に示すように、ロック部材３０がアッパレール２０の収容室２４内に挿入された後、アッパレール２０のストッパ部２６を下方に折曲させて、右側板部３１及びストッパ板部３５の間の間隙に挿入して係合させることにより、右側板部３１及びストッパ板部３５が左右外側に広がる方向に力が加わることとなる。そして、回動軸３４が貫通穴２８に挿嵌されて軸支される。
【００３４】
ロック爪３６は、図３に示すように、アッパレール２０のロック孔２７を貫通してロアレール１０のロック溝１６に係脱可能に係合される部材である。
ロック爪３６がロック溝１６に係合する係合位置にあるとき、アッパレール２０がロアレール１０に対してロック状態となり、ロック爪３６がロック溝１６から離脱する離脱位置にあるとき、アッパレール２０はロアレール１０に対してアンロック状態となるように構成されている。
ロック爪３６は、略矩形板状に形成された４つの左ロック爪３６ａと、略矩形板状に形成され、左右外側の端部が互いに連結された１つの右ロック爪３６ｂと、から構成されている。
なお、ロック爪３６が、特許請求の範囲に記載の被係合部に相当する。
【００３５】
ロック部材３０が回動軸３４を中心として回動することによって、ロック爪３６は、ロック溝１６に係合する係合位置と、ロック溝１６から離脱する離脱位置との間を移動することができる。すなわち、ロック爪３６は、回動軸３４を中心として上方に回動するとき、ロック孔２７を貫通した状態でロック溝１６に係合され、回動軸３４を中心として下方に回動するとき、ロック孔２７を貫通した状態でロック溝１６から離脱するように構成されている。
【００３６】
バネ部材３７は、公知なねじりコイルバネであって、ロック爪３６がロック溝１６に係合する係合位置に位置するようにロック部材３０を付勢している。
バネ部材３７は、図３に示すように、バネ本体部３７ａと、バネ本体部３７ａから前方側及び後方側にそれぞれ延出した前方バネ腕部３７ｂ、後方バネ腕部３７ｃと、から構成されており、ロック部材３０のうち、回動軸３４と保持部４０との間に配置されている。
バネ本体部３７ａは、アッパレール２０の内側板部２２とロック部材３０の右側板部３１の間に嵌めこまれており、ロック部材３０の左右方向の移動を規制すると共に、ロック部材３０の変形を防止する機能を果たしている。
前方バネ腕部３７ｂは、アッパレール２０の前方端部から突出し、保持部４０に掛け止めされている。後方バネ腕部３７ｃは、右側板部３１の上面に設けられ、左側板部３２側に向かって突出した略Ｌ字形状の引掛け部３８に引っ掛けられている。
【００３７】
保持部４０は、操作ハンドルの延出端部を保持する部分であって、図５に示すように、右側板部３１から連続して前方側に延出した側板部４１と、側板部４１の上端部から左右内側に屈曲された上板部４２と、側板部４１の下端部から左右内側に屈曲された底板部４３と、上板部４２の左端部から下方に屈曲された案内部４４と、から主に構成されている。
【００３８】
保持部４０には、側板部４１と上板部４２と底板部４３とで囲まれた空間である保持領域４５が形成されている。
側板部４１の上面には、前方側に上板部４２と連結された部分が設けられ、上板部３３と連結された部分に隣接した後方部分に下方に窪んだ略Ｕ字形状の係止溝４６と、係止溝４６に隣接した後方部分に、上板部４２に向って突出する規制部４７とが設けられている。
なお、係止溝４６は、略Ｕ字形状に形成されているが、これに限定されることなく、略コ字形状、略Ｖ字形状等、適宜形状変更可能である。
上板部４２は、図５に示すように、前方端部に上方に屈曲された上板部先端４２ａを備え、底板部４３は、前方端部に下方に屈曲された底板部先端４３ａを備えており、上板部先端４２ａ及び底板部先端４３ａは、互いに上下方向に広がるように傾斜している。
上板部４２の後方端部は、係止溝４６の開口の一部を覆うようにして、前後方向に規制部４７に向かって突出している。
【００３９】
規制部４７は、係止溝４６の開口を狭めるようにして、上板部４２に向かって上方に突出している。規制部４７の上方端部は、上板部４２の下端部よりも上方に突出している。
係止溝４６の開口幅は、バネ部材３７の線径と略同じ大きさ又はバネ部材３７の線径よりもやや小さくなるように形成されている。
このように、上板部４２の後方端部が、規制部４７に向って突出し、また規制部４７が上板部４２に向って突出することにより、係止溝４６の開口の前後幅が狭まることとなり、係止溝４６に係止されたバネ部材３７の脱落を防止することができる。
【００４０】
本実施形態の規制部４７は、係止溝４６の開口を狭めるようにして、上板部４２に向かって上方に突出しているが、これに限定されることなく適宜形状を変更することが可能である。規制部４７が、係止溝４６の開口を狭めるように、又は開口の一部を覆うようにして前後方向に上板部４２に向って突出する突出部分を備えていても良い。
【００４１】
操作ハンドル５０は、図３に示すように、乗員の操作により、バネ部材３７の付勢力に抗してロック爪３６をロック溝１６から離脱させた離脱位置に位置させる棒部材であって、略コ字状に形成されている。
操作ハンドル５０は、乗員が操作するハンドル本体部５１と、ハンドル本体部５１の左右両端部から後方に屈曲されて延出する左右のハンドル腕部５２とから構成されている。
【００４２】
ハンドル腕部５２の後方端部は、図５に示すように、保持部４０の保持領域４５に挿入されて保持されており、後方端部の外表面には、下方に窪んだ掛け止め溝５３と、掛け止め溝５３よりも後方側に形成された傾斜面５４とが設けられている。
掛け止め溝５３は、略Ｕ字形状であって左右方向に延出して形成されており、左右方向において係止溝４６と対向して配置されている。
バネ部材３７の一部分は、掛け止め溝５３に掛け止めされると共に、バネ部材３７の一部分に隣接する部分は、係止溝４６に係止されて構成されている。
【００４３】
傾斜面５４は、後方側に向かって下方傾斜している。そのため、操作ハンドル５０の掛け止め溝５３にバネ部材３７の一部分を掛け止めする際に、バネ部材３７の一部分が傾斜面５４によって案内されることとなり、ハンドル腕部５２と保持部４０の組立作業が容易になる。
【００４４】
ハンドル腕部５２が、保持部４０の保持領域４５内に挿入して保持される際に、ハンドル腕部５２は、左右方向において案内部４４及び側板部４１によって案内され、上下方向において上板部先端４２ａ及び底板部先端４３ａによって案内されるため、組み付け作業が容易になる。
また、案内部４４は、上板部先端４２ａに連結されており、底板部先端４３ａに連結される場合よりも前方側に配置されることになるため、ハンドル腕部５２を保持領域４５内に一層案内し易くなる。
【００４５】
ハンドル腕部５２が、図５に示すように、保持領域４５内に挿入された状態で、バネ部材３７によって底板部４３と当接する方向に付勢されているとき、ロック部材３０のうち、ロック爪３６は、回動軸３４を中心として上方に回動した位置にあり、ロアレール１０のロック溝１６と係合され、アッパレール２０をロック状態に保持している。
乗員がハンドル本体部５１を上方に移動させることによって、ハンドル腕部５２がバネ部材３７の付勢力に抗して上板部４２と当接する方向に移動するとき、ロック爪３６は、回動軸３４を中心として下方に回動した位置に切り替わり、ロック溝１６から離脱され、アッパレール２０をロック解除状態に保持するようになる。
【００４６】
操作ハンドル５０は、保持部４０内に挿入されて、ロック部材３０と一体的に回動可能な状態で保持され、ロック部材３０は、操作ハンドル５０の回動と連動して、回動軸３４を中心としてアッパレール２０及びロアレール１０に対して回動可能な状態で、アッパレール２０に連結されて構成されている。
スライドレール機構４は、通常、ロック爪３６がロアレール１０のロック溝１６に係合した係合位置にバネ部材３７によって付勢された状態となっており、ロアレール１０に対してアッパレール２０を相対移動不能に保持している。乗員の操作により操作ハンドルが上方に移動されることで、ロック爪３６がロック溝１６から離脱した離脱位置に移動し、ロアレール１０に対してアッパレール２０を相対移動可能な状態に容易に切り替えることができる。
【００４７】
本実施形態のスライドレール機構４は、バネ部材３７が係止された係止溝４６の開口を狭めるように規制部４７が設けられている。
そのため、操作ハンドル５０が乱雑に操作された場合に、バネ部材３７が、係止溝４６及び掛け止め溝５３から脱落することを防止することができる。
例えば、ハンドル本体部５１を下方に移動させたとき、ハンドル腕部５２は、上板部４２の前方部分を支点として回動し、上板部４２と略平行となるように当接したロックフルストローク状態となる。このロックフルストローク状態から、ハンドル本体部５１をさらに上方に移動させ、ハンドル腕部５２が、上板部４２の前方部分を支点として下方に回動する操作がなされた場合であっても、バネ部材３７の脱落を防止する機能を果たすことができる。
【００４８】
なお、上記各実施形態では、具体例として自動車のフロントシートについて説明したが、これに限定されることなく、自動車のミドルシート、リアシートについても適用可能であることは勿論である。
【符号の説明】
【００４９】
Ｓ  車両用シート
１  シートクッション
１ａ、２ａ、３ａ  クッションパッド
１ｂ、２ｂ、３ｂ  表皮
２  シートバック
３  ヘッドレスト
４  スライドレール機構
１０  ロアレール
１１  底板部
１２  外側板部
１３  上板部
１４  内側板部
１５  収容室
１６  ロック溝
２０  アッパレール
２１  上板部
２２  内側板部
２３  案内板部
２４  収容室
２５  収容溝
２６  ストッパ部
２７  ロック孔
２８  貫通穴
２９  ガイド
３０  ロック部材
３１  右側板部
３２  左側板部
３３  上板部
３４  回動軸
３５  ストッパ板部
３６  ロック爪
３６ａ  左ロック爪
３６ｂ  右ロック爪
３７  バネ部材
３７ａ  バネ本体部
３７ｂ  前方バネ腕部
３７ｃ  後方バネ腕部
３８  引掛け部
４０  保持部
４１  側板部
４２  上板部
４２ａ  上板部先端
４３  底板部
４３ａ  底板部先端
４４  案内部
４５  保持領域
４６  係止溝
４７  規制部
５０  操作ハンドル
５１  ハンドル本体部
５２  ハンドル腕部
５３  掛け止め溝
５４  傾斜面
１１０  ロアレール
１１６  ロック孔
１２０  アッパレール
１２５  開放孔
１３０  ロックレバー
１３６  ロック爪
１３７  コイルバネ
１４０  連動支持部
１４６  係止溝
１５０  ハンドル
１５１  掛け止め溝
【図１】
2014064848.tif 000003
【図２】
2014064848.tif 000004
【図３】
2014064848.tif 000005
【図４】
2014064848.tif 000006
【図５】
2014064848.tif 000007
【図６】
2014064848.tif 000008
【手続補正書】
【提出日】平成28年3月7日(2016.3.7)
【手続補正１】
【補正対象書類名】特許請求の範囲
【補正対象項目名】全文
【補正方法】変更
【補正の内容】
【特許請求の範囲】
【請求項１】
車体フロアに固定されるロアレールと、
該ロアレールに対して相対移動可能に支持されるアッパレールと、
前記ロアレールに設けられた係合部に係合可能な被係合部を有し、該被係合部が前記係合部に係合する係合位置と、前記被係合部が前記係合部から離脱した離脱位置との間を移動可能な状態で前記アッパレールに取り付けられたロック部材と、
該ロック部材が前記係合位置に位置するように前記ロック部材を付勢するバネ部材と、
乗員の操作により、前記バネ部材の付勢力に抗して前記ロック部材を前記離脱位置に位置させる操作ハンドルと、を備え、
前記操作ハンドルの外表面には、前記バネ部材の一部分が掛け止めされる掛け止め溝が形成され、
前記ロック部材は、
前記操作ハンドルのうち、前記掛け止め溝が形成された部分を保持する保持部と、
該保持部に形成され、前記バネ部材のうち、前記掛け止め溝に掛け止めされた前記一部分と隣接した部分を係止する係止溝と、
前記保持部から突出形成され、前記係止溝の開口を狭めることにより前記バネ部材の前記係止溝からの脱落を規制する規制部と、を備え、
前記保持部は、対向する上板部と底板部と、該底板部及び前記上板部を連結する側板部と、を備え、
前記操作ハンドルのうち、前記掛け止め溝が形成された部分は、前記上板部と前記底板部と前記側板部とで囲まれた保持領域内に保持され、
前記側板部の上面には、前記上板部と連結された部分と異なる部分において、下方に窪んだ前記係止溝と、該係止溝を介して前記上板部と反対側に前記規制部が設けられ、
該規制部は、前記係止溝の開口を狭めるように上方に突出し、かつ、少なくとも一部分が前記上板部の下端よりも上方に突出していることを特徴とするスライドレール機構。
【請求項２】
前記規制部は、前記上板部に向って前記係止溝の開口を狭めるように突出していることを特徴とする請求項１に記載のスライドレール機構。
【請求項３】
前記保持部は、前記操作ハンドルを挿入する側の端部から突出形成され、前記操作ハンドルのうち、前記掛け止め溝が形成された部分を前記保持領域内に案内する案内部を備えることを特徴とする請求項１又は２に記載のスライドレール機構。
【請求項４】
前記操作ハンドルの外表面のうち、前記アッパレールに近い側の端部上面には、前記掛け止め溝と、該掛け止め溝よりも前記アッパレールに近い側に傾斜面とが形成され、
該傾斜面は、前記掛け止め溝から前記アッパレールに近い側の一端に向う方向において、下方に傾斜していることを特徴とする請求項１乃至３いずれか記載のスライドレール機構。
【請求項５】
前記操作ハンドルは、前記ロック部材と一体的に回動可能な状態で前記保持部に保持され、
前記ロック部材は、前記保持部と前記被係合部との間に設けられた回動軸を備え、
該回動軸は、前記操作ハンドルの回動と連動して、前記ロック部材が前記アッパレールに対して回動可能な状態で該アッパレールに軸支されていることを特徴とする請求項１乃至４いずれか記載のスライドレール機構。
【請求項６】
前記ロック部材は、該ロック部材のうち、前記保持部を備える部分が、前記アッパレールの前記操作ハンドル側の端部から突出するようにして前記アッパレール内に挿設されていることを特徴とする請求項１乃至５いずれか記載のスライドレール機構。
【請求項７】
請求項１乃至６いずれか記載のスライドレール機構を備えることを特徴とする車両用シート。
【手続補正２】
【補正対象書類名】明細書
【補正対象項目名】０００８
【補正方法】変更
【補正の内容】
【０００８】
前記課題は、本発明のスライドレール機構によれば、車体フロアに固定されるロアレールと、該ロアレールに対して相対移動可能に支持されるアッパレールと、前記ロアレールに設けられた係合部に係合可能な被係合部を有し、該被係合部が前記係合部に係合する係合位置と、前記被係合部が前記係合部から離脱した離脱位置との間を移動可能な状態で前記アッパレールに取り付けられたロック部材と、該ロック部材が前記係合位置に位置するように前記ロック部材を付勢するバネ部材と、乗員の操作により、前記バネ部材の付勢力に抗して前記ロック部材を前記離脱位置に位置させる操作ハンドルと、を備え、前記操作ハンドルの外表面には、前記バネ部材の一部分が掛け止めされる掛け止め溝が形成され、前記ロック部材は、前記操作ハンドルのうち、前記掛け止め溝が形成された部分を保持する保持部と、該保持部に形成され、前記バネ部材のうち、前記掛け止め溝に掛け止めされた前記一部分と隣接した部分を係止する係止溝と、前記保持部から突出形成され、前記係止溝の開口を狭めることにより前記バネ部材の前記係止溝からの脱落を規制する規制部と、を備え、前記保持部は、対向する上板部と底板部と、該底板部及び前記上板部を連結する側板部と、を備え、前記操作ハンドルのうち、前記掛け止め溝が形成された部分は、前記上板部と前記底板部と前記側板部とで囲まれた保持領域内に保持され、前記側板部の上面には、前記上板部と連結された部分と異なる部分において、下方に窪んだ前記係止溝と、該係止溝を介して前記上板部と反対側に前記規制部が設けられ、該規制部は、前記係止溝の開口を狭めるように上方に突出し、かつ、少なくとも一部分が前記上板部の下端よりも上方に突出していること、により解決される。
【手続補正３】
【補正対象書類名】明細書
【補正対象項目名】０００９
【補正方法】変更
【補正の内容】
【０００９】
このように、ロック部材は、保持部から突出形成され、係止溝の開口を狭めることによりバネ部材の係止溝からの脱落を規制する規制部を備えるため、バネ部材の脱落を防止でき、ロック部材の機能性を向上させることができる。従って、ロアレールに対するアッパレールの相対移動を規制するロック部材を備え、このロック部材に設けられ、操作ハンドルを付勢するバネ部材の位置ずれ防止及び脱落防止機能を向上させたスライドレール機構を提供することができる。
また、操作ハンドルのうち、掛け止め溝が形成された部分は、上板部と底板部と側板部とで囲まれた保持領域内に保持されているため、操作ハンドルをロック部材の保持部に安定して保持させることができ、ロック機構の機能性を向上できる。
また、側板部に設けられた係止溝の開口は、開口の一端側に設けられた規制部が、上方に突出することにより開口を狭める構成となっているため、係止溝に係止されたバネ部材の脱落防止機能を一層向上させることができる。
また、係止溝の開口の一端側に設けられた規制部の少なくとも一部分が、開口の他端に設けられた上板部の下端よりも上方に突出しているため、係止溝の開口を一層狭める構成となり、係止溝に係止されたバネ部材の脱落を一層防止することができる。
【手続補正４】
【補正対象書類名】明細書
【補正対象項目名】００１０
【補正方法】変更
【補正の内容】
【００１０】
このとき、前記規制部は、前記上板部に向って前記係止溝の開口を狭めるように突出していると良い。
このような構成となっているため、係止溝に係止されたバネ部材の脱落防止機能を一層向上させることができる。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１８
【補正方法】変更
【補正の内容】
【００１８】
請求項１の発明によれば、ロック部材は、保持部から突出形成され、係止溝の開口を狭めることによりバネ部材の係止溝からの脱落を規制する規制部を備えるため、バネ部材の脱落を防止でき、ロック部材の機能性を向上させることができる。従って、ロアレールに対するアッパレールの相対移動を規制するロック部材を備え、このロック部材に設けられ、操作ハンドルを付勢するバネ部材の位置ずれ防止及び脱落防止機能を向上させたスライドレール機構を提供することができる。
また、操作ハンドルのうち、掛け止め溝が形成された部分は、上板部と底板部と側板部とで囲まれた保持領域内に保持されているため、操作ハンドルをロック部材の保持部に安定して保持させることができ、ロック機構の機能性を向上できる。
また、側板部に設けられた係止溝の開口は、開口の一端側に設けられた規制部が、上方に突出することにより開口を狭める構成となっているため、係止溝に係止されたバネ部材の脱落防止機能を一層向上させることができる。
また、係止溝の開口の一端側に設けられた規制部の少なくとも一部分が、開口の他端に設けられた上板部の下端よりも上方に突出しているため、係止溝の開口を一層狭める構成となり、係止溝に係止されたバネ部材の脱落を一層防止することができる。
請求項２の発明によれば、係止溝に係止されたバネ部材の脱落防止機能を一層向上させることができる。
【手続補正８】
【補正対象書類名】明細書
【補正対象項目名】００１９
【補正方法】変更
【補正の内容】
【００１９】
請求項３の発明によれば、保持部は、操作ハンドルのうち、掛け止め溝が形成された部分を保持領域内に案内する案内部を備えるため、ロック機構を構成する操作ハンドルとロック部材を組み立てる際に、操作ハンドルが案内部に案内されてロック部材の保持部に挿設でき、組立作業が容易になる。
請求項４の発明によれば、操作ハンドルの外表面の端部上面には、掛け止め溝と、この掛け止め溝からアッパレールに近い側の一端に向う方向に下方傾斜している傾斜面とが設けられているため、操作ハンドルの掛け止め溝にバネ部材の一部分を掛け止めする際に、バネ部材の一部分が傾斜面によって案内されることとなり、組立作業が容易になる。
請求項５の発明によれば、ロック部材は、操作ハンドルの回動と連動して、アッパレールに対して回動可能な状態で軸支されているため、操作ハンドルの操作によってロック部材を回動させて、ロアレールに対するアッパレールの相対移動を規制するコンパクトな構成となる。
請求項６の発明によれば、操作ハンドルは、アッパレール内に挿設されたロック部材のうち、アッパレールから突出した保持部に保持されているため、操作ハンドルがロック部材に対して回動する際に、操作ハンドルとアッパレールとが当接しない構成となる。
従って、操作ハンドルとロック部材の相対回動範囲を広げることができ、ロック状態維持機能を高めることができる。
請求項７の発明によれば、上記の効果を奏するスライドレール機構を備えた車両用シートを得ることができる。
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【国際調査報告】
2014064848.tif 000009
2014064848.tif 000010
2014064848.tif 000011
2014064848.tif 000012